(57)【要約】【課題】ＣＬＴ床の撓みや振動を抑制できて、重量床衝撃音に対する遮音性能を向上できるとともに、軽量化が図れる床構造等を提供する。【解決手段】本発明に係る床構造は、ＣＬＴにより形成されたＣＬＴ床２と、当該ＣＬＴ床の下面２１に設けられた木製リブ構造部３とを備え、木製リブ構造部３は、ＣＬＴ床２の下面２１より突出してＣＬＴ床２の下面２１に沿った一方向に延長するとともに、当該一方向と直交する方向に所定の間隔を隔てて設けられた複数の一方向リブ３１；３１…と、ＣＬＴ床２の下面２１より突出してＣＬＴ床２の下面２１に沿った一方向と交差する他方向に延長するとともに、当該他方向と直交する方向に所定の間隔を隔てて設けられた複数の他方向リブ３２；３２…とを備えたことを特徴とする。【選択図】図１
2019094680.tif 000002
【特許請求の範囲】
【請求項１】
ＣＬＴにより形成されたＣＬＴ床と、当該ＣＬＴ床の下面に設けられた木製リブ構造部とを備え、
木製リブ構造部は、
ＣＬＴ床の下面より突出してＣＬＴ床の下面に沿った一方向に延長するとともに、当該一方向と直交する方向に所定の間隔を隔てて設けられた複数の一方向リブと、
ＣＬＴ床の下面より突出してＣＬＴ床の下面に沿った一方向と交差する他方向に延長するとともに、当該他方向と直交する方向に所定の間隔を隔てて設けられた複数の他方向リブとを備えたことを特徴とする床構造。
【請求項２】
互いに隣り合う一方向リブと一方向リブとの間の間隔と互いに隣り合う他方向リブと他方向リブとの間の間隔とが同じ寸法の間隔であることを特徴とする請求項１に記載の床構造。
【請求項３】
木製リブ構造部は、複数の一方向リブと複数の他方向リブとが互いに直交する方向に延長するように構成されたことを特徴とする請求項１又は請求項２に記載の床構造。
【請求項４】
ＣＬＴ床の下面から突出する一方向リブ及び他方向リブの突出長さが、３００ｍｍ未満であることを特徴とする請求項１乃至請求項３のいずれか一項に記載の床構造。
【請求項５】
互いに隣り合う各一方向リブの幅方向中心間の長さ及び互いに隣り合う各他方向リブの幅方向中心間の長さが、１５００ｍｍ未満であることを特徴とする請求項１乃至請求項４のいずれか一項に記載の床構造。
【請求項６】
木製リブ構造部の下面と耐火板の板面とが対向するように、耐火板が木製リブ構造部の下面に固定されたことを特徴とする請求項１乃至請求項５のいずれか一項に記載の床構造。
【請求項７】
請求項１乃至請求項６のいずれか一項に記載の床構造に用いる床部材であって、
ＣＬＴ床を構成する床材の下面となる面に、床材の面に沿った一方向に延長するとともに、一方向と直交する方向に所定の間隔を隔てて配置された複数の一方向リブと、床板部材の面に沿った一方向と交差する他方向に延長するとともに、他方向と直交する方向に所定の間隔を隔てて配置された複数の他方向リブとが固定されたことを特徴とする床部材。
【発明の詳細な説明】
【技術分野】
【０００１】
本発明は、ＣＬＴ（Cross Laminated Timber（直交集成板））により形成された床を備えた床構造等に関する。
【背景技術】
【０００２】
大中規模の木造建築物において、木製梁間又は木製壁間にＣＬＴにより形成されたＣＬＴ床を設置した床構造が知られている。
尚、大中規模の木造建築物とは、軸組構造又は壁組構造で構築された学校、ホテル、集合住宅、老人ホーム、役所などの比較的大型の木造建築のことである。
また、ＣＬＴ床の下面に木質梁材（大梁、及び、小梁）を設けた床構造が知られている（特許文献１参照）。
【先行技術文献】
【特許文献】
【０００３】
【特許文献１】特開２０１７−１２８９８１号公報
【発明の概要】
【発明が解決しようとする課題】
【０００４】
ＣＬＴ床は、鉄筋コンクリート床と比較した場合、撓みや振動が大きい。この撓みや振動を抑制する方策として、ＣＬＴ床の厚さを厚くすることが考えられるが、この場合、床が重くなるという課題がある。
また、特許文献１に開示された床構造であっても、大梁と小梁との間や、小梁と小梁との間において、ＣＬＴ床が撓んだり振動しやすい構造となるため、重量床衝撃音に対する遮音性能が低いという課題がある。
本発明は、ＣＬＴ床の撓みや振動を抑制できて、重量床衝撃音に対する遮音性能を向上できるとともに、軽量化が図れる床構造等を提供するものである。
【課題を解決するための手段】
【０００５】
本発明に係る床構造は、ＣＬＴにより形成されたＣＬＴ床と、当該ＣＬＴ床の下面に設けられた木製リブ構造部とを備え、木製リブ構造部は、ＣＬＴ床の下面より突出してＣＬＴ床の下面に沿った一方向に延長するとともに、当該一方向と直交する方向に所定の間隔を隔てて設けられた複数の一方向リブと、ＣＬＴ床の下面より突出してＣＬＴ床の下面に沿った一方向と交差する他方向に延長するとともに、当該他方向と直交する方向に所定の間隔を隔てて設けられた複数の他方向リブとを備えたことを特徴とするので、木製リブ構造部により、ＣＬＴ床の撓みや振動を抑制できて、重量床衝撃音に対する遮音性能を向上できるとともに、軽量化が図れる床構造となる。
また、互いに隣り合う一方向リブと一方向リブとの間の間隔と互いに隣り合う他方向リブと他方向リブとの間の間隔とが同じ寸法の間隔であるので、ＣＬＴ床の互いに交差する一方向及び他方向において、均等に、撓みや振動を抑制できて、重量床衝撃音に対する遮音性能を向上できるとともに、軽量化が図れる床構造となる。つまり、ＣＬＴ床全体の撓みや振動を抑制できて、重量床衝撃音に対する遮音性能を向上できるとともに、軽量化が図れる床構造となる。
また、木製リブ構造部は、複数の一方向リブと複数の他方向リブとが互いに直交する方向に延長するように構成されたので、ＣＬＴ床の互いに直交する一方向及び他方向において、均等に、撓みや振動を抑制できて、重量床衝撃音に対する遮音性能を向上できるとともに、軽量化が図れる床構造となる。
また、ＣＬＴ床の下面から突出する一方向リブ及び他方向リブの突出長さが、３００ｍｍ未満であるので、ＣＬＴ床の撓みや振動を抑制できて、重量床衝撃音に対する遮音性能を向上できるとともに、軽量化が図れ、かつ、一方向リブ及び他方向リブの下面側を平面（フラット）に近い状態にでき、一方向リブ及び他方向リブの下面に板を取付けることで平面状態の天井面を施工できるようになる。
互いに隣り合う各一方向リブの幅方向中心間の長さ及び互いに隣り合う各他方向リブの幅方向中心間の長さが、１５００ｍｍ未満であるので、ＣＬＴ床の撓みや振動を抑制できて、重量床衝撃音に対する遮音性能を向上できるとともに、軽量化が図れ、かつ、一方向リブ及び他方向リブの下面側を平面に近い状態にでき、一方向リブ及び他方向リブの下面に板を取付けることで平面状態の天井面を施工できるようになる。
また、木製リブ構造部の下面と耐火板の板面とが対向するように、耐火板が木製リブ構造部の下面に固定されたので、ＣＬＴ床の撓みや振動を抑制できて、重量床衝撃音に対する遮音性能を向上できるとともに、軽量化が図れ、かつ、平面状態の耐火天井面を備えた床構造を提供できる。
また、上述した床構造に用いる床部材は、ＣＬＴ床を構成する床材の下面となる面に、床材の面に沿った一方向に延長するとともに、一方向と直交する方向に所定の間隔を隔てて配置された複数の一方向リブと、床板部材の面に沿った一方向と交差する他方向に延長するとともに、他方向と直交する方向に所定の間隔を隔てて配置された複数の他方向リブとが固定されたことを特徴とするので、現場での施工手間を削減でき、床構造の構築にかかる施工期間を短縮できるようになる。
【図面の簡単な説明】
【０００６】
【図１】実施形態の床構造の一例を示す断面図。
【図２】床構造を木製リブ構造部の下端側から見た図。
【発明を実施するための形態】
【０００７】
図１に示すように、実施形態に係る床構造１は、ＣＬＴ（Cross  Laminated  Timber（直交集成板））により形成されたＣＬＴ床２と、当該ＣＬＴ床２の下面２１に設けられた木製リブ構造部３と、床下耐火構造部４と、床上耐火構造部５とを備えた構成である。
【０００８】
ＣＬＴ床２は、軸組工法や壁式工法で形成される木造建築物の床の材料としてＣＬＴを使用して構成された床である。
ＣＬＴ床２は、例えば、集成材により形成された図外の柱と集成材により形成された図外の梁とで構成されたラーメン構造の構造体において端部が梁上に載置されて梁間に設置された床、又は、ＣＬＴにより形成された図外の壁で構成された壁式構造体において端部が壁上に載置されて壁間に設置された床である。
ＣＬＴ床２の高さ（厚さ）寸法Ｈは、例えば、１５０ｍ〜３６０ｍｍ（ラミナ５層〜ラミナ１２層の厚さ寸法に相当）に形成されている。
【０００９】
尚、ＣＬＴとは、農林水産省告示第３０７９号に規定されたように、「ひき板又は小角材（これらをその繊維方向を互いにほぼ平行にして長さ方向に接合接着して調整したものを含む。）をその繊維方向を互いにほぼ平行にして幅方向に並べ又は接着したものを、主としてその繊維方向を互いにほぼ直角にして積層接着し３層以上の構造を持たせた一般材」である。
即ち、ＣＬＴは、張り合わせる板の繊維方向が直交するように複数の板を張り合わせて構成された木材であり、直交集成板と呼ばれている。
また、上述した集成材は、張り合わせる板の繊維方向が並行方向となるように複数の板を張り合わせて構成された木材である。
【００１０】
図２に示すように、木製リブ構造部３は、ＣＬＴ床２の下面２１より突出してＣＬＴ床２の下面２１に沿った一方向に延長するとともに、当該一方向と直交する方向に所定の間隔Ｗ１を隔てて設けられた複数の一方向リブ３１；３１…と、ＣＬＴ床２の下面２１より突出してＣＬＴ床２の下面２１に沿った一方向と交差する他方向に延長するとともに、当該他方向と直交する方向に所定の間隔Ｗ２を隔てて設けられた複数の他方向リブ３２；３２…とを備え、互いに隣り合う一方向リブ３１と一方向リブ３１との間の間隔Ｗ１と互いに隣り合う他方向リブ３２と他方向リブ３２との間の間隔Ｗ２とが同じ間隔（同じ寸法）となるように構成されている。当該間隔Ｗ１；Ｗ２は、例えば、２４０ｍｍ以上１３５０ｍｍ未満に設定される。このように、互いに隣り合う一方向リブ３１と一方向リブ３１との間の間隔Ｗ１と互いに隣り合う他方向リブ３２と他方向リブ３２との間の間隔Ｗ２とを同じ寸法の間隔に設定したので、ＣＬＴ床２の互いに交差する一方向及び他方向において、均等に、撓みや振動を抑制できて、重量床衝撃音に対する遮音性能を向上できるとともに、軽量化が図れる床構造１となる。つまり、ＣＬＴ床２全体の撓みや振動を抑制できて、重量床衝撃音に対する遮音性能を向上できるとともに、軽量化が図れる床構造１を提供できる。
【００１１】
木製リブ構造部３を形成する一方向リブ３１及び他方向リブ３２は、ＣＬＴ床２の変形防止のために、ＣＬＴ床２の下面２１を構成する平面より真下に突出するようにＣＬＴ床２の下面２１に取付けられた補強材であり、集成材又はＣＬＴにより形成される。
即ち、木製リブ構造部３を形成する一方向リブ３１及び他方向リブ３２は、ＣＬＴ床２の変形を防止するための補強材であり、かつ、ＣＬＴ床２の荷重を支える梁の役割も担うものである。
また、当該木製リブ構造部３を備えることで、ＣＬＴ床２の高さ（厚さ）寸法Ｈを薄くできようになり、床構造１の軽量化が図れる。
【００１２】
各一方向リブ３１；３１…は、例えば、ＣＬＴ床２の下面２１から突出する突出方向の突出長さ（高さ寸法）Ｈ１が、８０ｍｍ以上３００ｍｍ未満で、かつ、延長方向（一方向）及び突出方向と直交する方向である幅方向の長さ（幅寸法）ｂ１が６０ｍｍ以上１５０ｍｍ未満に形成されている。
同様に、各他方向リブ３２；３２…は、例えば、ＣＬＴ床２の下面２１から突出する突出方向の突出長さ（高さ寸法）Ｈ２が、８０ｍｍ以上３００ｍｍ未満で、かつ、延長方向（他方向）及び突出方向と直交する方向である幅方向の長さ（幅寸法）ｂ２が６０ｍｍ以上１５０ｍｍ未満に形成されている。
尚、通常の小梁は、高さ寸法が、３５０ｍｍ〜４５０ｍｍ程度であるので、本発明の一方向リブ３１及び他方向リブ３２と通常の小梁とでは、高さ寸法が大きく異なる。
また、通常の小梁は、幅寸法が、１５０ｍｍ以上であるので、本発明の一方向リブ３１及び他方向リブ３２と通常の小梁とでは、幅寸法が異なる。
【００１３】
また、互いに隣り合う各一方向リブ３１；３１の幅方向中心３１Ｃ；３１Ｃ間の間隔（一方向リブの配置ピッチ）Ｐ１は、例えば、３００ｍｍ以上１５００ｍｍ未満となるように設定されている。
同様に、互いに隣り合う各他方向リブ３２；３２の幅方向中心３２Ｃ；３２Ｃ間の間隔（他方向リブの配置ピッチ）Ｐ２は、例えば、３００ｍｍ以上１５００ｍｍ未満となるように設定されている。
尚、通常の小梁は、配置ピッチが、１５００ｍｍ以上であるので、本発明の一方向リブ３１及び他方向リブ３２と通常の小梁とでは、配置ピッチが異なる。
【００１４】
このように、ＣＬＴ床２の下面２１から突出する一方向リブ３１及び他方向リブ３２の突出長さを、３００ｍｍ未満とし、かつ、互いに隣り合う各一方向リブ３１；３１の幅方向中心３１Ｃ；３１Ｃ間の長さ及び互いに隣り合う各他方向リブ３２；３２の幅方向中心３２Ｃ；３２Ｃ間の長さを、１５００ｍｍ未満としたので、ＣＬＴ床２の撓みや振動を抑制できて、重量床衝撃音に対する遮音性能を向上できるとともに、軽量化が図れ、かつ、一方向リブ３１及び他方向リブ３２の下面側を平面（フラット）に近い状態にでき、一方向リブ３１及び他方向リブ３２の下面にせっこうボードのような耐火板を取付けることで平面（フラット）状態の天井面を施工できるようになる。
【００１５】
木製リブ構造部３は、複数の一方向リブ３１；３１…と複数の他方向リブ３２；３２…とが互いに直交する方向に延長するように構成されている。
例えば、図２に示すように、木製リブ構造部３は、複数の一方向リブ３１；３１…と複数の他方向リブ３２；３２…とにより格子状のリブとなるように構成されている。
このように、ＣＬＴ床２の下面２１に格子状の木製リブ構造部３を備えたことで、ＣＬＴ床２の互いに直交する一方向及び他方向（Ｘ方向及びＹ方向）において、均等に、撓みや振動を抑制できて、重量床衝撃音に対する遮音性能を向上できるとともに、軽量化が図れる床構造１となる。
【００１６】
例えば、図１に示すように、ＣＬＴ床２の下面２１に間隔を隔てて配置された複数の一方向リブ３１；３１…とＣＬＴ床２とがそれぞれ接合手段１０を用いて接合され、さらに、互いに隣り合う一方向リブ３１と一方向リブ３１との間に設けられた複数の他方向リブ３２；３２…とＣＬＴ床２とがそれぞれ接合手段１０を用いて接合される。
尚、接合手段１０は、例えば、スクリューねじ、又は、締付ボルト等である。例えば、接合手段１０として、スクリューねじを用いる場合、スクリューねじをＣＬＴ床２の上面２２からリブ３１又はリブ３２に到達するようにねじ込む。この場合、図１に示すように、ねじ込まれたスクリューねじの先端がリブ３１；３２の上面３１ａ；３２ａから下面３１ｂ；３２ｂに向けてリブ３１；３２の高さ寸法の１／３以上の位置まで到達するようにすることが好ましい。この場合、スクリューねじの設置間隔（取付ピッチ）は、例えば５ｃｍ〜３０ｃｍ程度とすることが好ましい。
接合手段１０として、締付ボルトを用いる場合、締付ボルトの端部が位置するＣＬＴ床２の上面２２側及びリブ３１；３２の下面３１ｂ；３２ｂ側に締付ナットを締結するための座繰り穴を設けて、締付ボルトの端部がＣＬＴ床２の上面２２やリブ３１；３２の下面３１ｂ；３２ｂから外側に露出しないようにする。この場合、締付ボルトの設置間隔（取付ピッチ）は、例えば５ｃｍ〜３０ｃｍ程度とすることが好ましい。
【００１７】
また、互いに隣り合う一方向リブ３１と一方向リブ３１との間に設けられた他方向リブ３２の両方の端部を、ねじ等の固定手段１１を用いてそれぞれ一方向リブ３１；３１に固定する。
ねじ等とは、例えば、スクリューねじ（ビス）、タッカー針、スクリュー釘、釘などである。例えば、図２に示すように、固定手段１１としてのスクリューねじを他方向リブ３２と一方向リブ３１とに対して斜めにねじ込んで他方向リブ３２と一方向リブ３１とを接合する。
【００１８】
このように、ＣＬＴ床２と木製リブ構造部３とが接合手段１０により強固に接合され、かつ、他方向リブ３２と一方向リブ３１とがねじ等の固定手段１１により強固に接合されたので、ＣＬＴ床２と木製リブ構造部３との一体化、及び、他方向リブ３２と一方向リブ３１との一体化が図れ、木製リブ構造部３により、ＣＬＴ床２の撓みや振動を抑制できて、重量床衝撃音に対する遮音性能を向上できるとともに、軽量化が図れる床構造１となる。
【００１９】
また、床施工現場にて、木製リブ構造部３とＣＬＴ床２とを接合してもよいが、予め、工場にて、ＣＬＴ床２を構成する床材の下面となる面に、床材の面に沿った一方向に延長するとともに、一方向と直交する方向に所定の間隔を隔てて配置された複数の一方向リブ３１；３１…と、床材の面に沿った一方向と交差する他方向に延長するとともに、他方向と直交する方向に所定の間隔を隔てて配置された複数の他方向リブ３２；３２…とが固定された床部材を必要な数だけ製造し、これら必要な数の床部材を現場に搬入することにより、ＣＬＴ床２の下面２１に木製リブ構造部３を備えた床構造１を構築するようにしてもよい。
つまり、ＣＬＴ床２を構成する複数の床材の下面となる面に上述した木製リブ構造部３を固定した複数の床部材を工場で製作した後に現場に搬入して、現場に搬入した複数の床部材を、梁間又は壁間の同一平面上に並べて床構造１を構築することにより、現場での施工手間を削減でき、床構造１の構築にかかる施工期間を短縮できるようになる。
【００２０】
床下耐火構造部４は、例えば、木製リブ構造部３の下面３１ｂ；３２ｂと耐火板としての例えばせっこうボードの板面とが対向するように、当該木製リブ構造部３の下面３１ｂ；３２ｂと同一平面上に並ぶように配置された複数のせっこうボードが当該木製リブ構造部３の下面３１ｂ；３２ｂに固定されて構成されている。
従って、ＣＬＴ床２の撓みや振動を抑制できて、重量床衝撃音に対する遮音性能を向上できるとともに、軽量化が図れ、かつ、平面状態の耐火天井面を備えた床構造１を提供できるようになる。
尚、ＣＬＴ床２の下面２１と一方向リブ３１と他方向リブ３２と床下耐火構造部４とで囲まれた空間に、グラスウールなどの吸音材を設置することにより、軽量床衝撃音に対する遮音性能も向上させることができる床構造となる。
【００２１】
また、床上耐火構造部５は、例えば、ＣＬＴ床２の上面２２に並ぶように配置された耐火板としての複数のせっこうボードが当該ＣＬＴ床２の上面２２に固定されて形成された耐火層５１と、当該耐火層５１の上面に並ぶように配置された複数の合板が当該耐火層５１の上面に固定されて形成された床面構成層５２とを備えて構成される。
【００２２】
そして、床面構成層５２の上に図外の床仕上げ層が設けられる。床仕上げ層は、フローリング床材、カーペット、タイル、絨毯、石板、畳等の床仕上げ材を設けることにより構成される。
【００２３】
実施形態に係る床構造１によれば、ＣＬＴ床２と、当該ＣＬＴ床２の下面２１に設けられた木製リブ構造部３とを備えた構成としたので、木製リブ構造部３により、ＣＬＴ床２の撓みや振動を抑制できて、重量床衝撃音に対する遮音性能を向上できるとともに、軽量化が図れる床構造１となる。
木造建築物の床構造、特に、大中規模の木造建築物の床構造において実施形態に係る床構造１を採用した場合、階下への重量床衝撃音の伝播が軽減される重量床衝撃音に対する遮音性能に優れた床構造１を提供できるようになる。
【００２４】
尚、床面構成層５２の上に所定の間隔を隔てて配置された図外の複数の支持脚と、複数の支持脚の上に形成された図外の床板構成部とを備えた、所謂、二重床（置き床）を設けた構成としてもよい。
この場合、床板構成部としては、例えば、複数の支持脚の上に設けられて支持脚に固定された基材層と、基材層の上に設けられて基材層に固定された剛性密度強化層と、剛性密度強化層の上に設けられた床仕上げ層とを備えた構成とすることで、さらに、重量床衝撃音に対する遮音性能を向上できる床構造となる。
【００２５】
尚、基材層は、一層のパーティクルボード層又は一層の合板層により構成される。
また、剛性密度強化層は、高密度層と、高密度層を上下から挟み込む挟持層とを備えて構成される。
また、剛性密度強化層は、基材層の上に長方形の板面を有した複数の合板の板面が並ぶように設置されて構成された挟持層の下側層と、当該下側層の上に長方形の板面を有した複数のアスファルトシートの板面が並ぶように設置されて構成された一層以上の高密度層と、当該高密度層の上に長方形の板面を有した複数の合板の板面が並ぶように設置されて構成された挟持層の上側層とで構成される。
以上の構成により、剛性及び密度の大きい剛性密度強化層を構築できて、重量床衝撃音に対する遮音効果の高い、木造建築物のＣＬＴ床を対象とした二重床構造を提供できる。
【符号の説明】
【００２６】
１  床構造、２  ＣＬＴ床、２１  ＣＬＴ床の下面、３  木製リブ構造部、
３１  一方向リブ、３１Ｃ  一方向リブの幅方向中心、３２  他方向リブ、
３２Ｃ  他方向リブの幅方向中心、Ｈ１  一方向リブの突出長さ、
Ｈ２  他方向リブの突出長さ、
Ｐ１  互いに隣り合う各一方向リブの幅方向中心間の長さ、
Ｐ２  互いに隣り合う各他方向リブの幅方向中心間の長さ、
Ｗ１  互いに隣り合う一方向リブと一方向リブとの間の間隔、
Ｗ２  互いに隣り合う他方向リブと他方向リブとの間の間隔。
【図１】
2019094680.tif 000003
【図２】
2019094680.tif 000004